(57)【要約】【課題】ユーザの入浴に関するログを記録すること。【解決手段】入浴管理システムにおいて、浴槽に給湯する風呂給湯器から、前記浴槽の湯温、前記浴槽の湯量、及び外気温のうちの少なくとも一つの情報を取得する取得部と、前記取得部により取得された情報と、前記取得部により当該情報が取得された日時とを対応付けて記憶する記憶部と、前記記憶部に記憶させる処理を制御する制御部と、を備える。【選択図】図４
2018153236.tif 000002
【特許請求の範囲】
【請求項１】
浴槽に給湯する風呂給湯器から、前記浴槽の湯温、前記浴槽の湯量、及び外気温のうちの少なくとも一つの情報を取得する取得部と、
前記取得部により取得された情報と、前記取得部により当該情報が取得された日時とを対応付けて記憶する記憶部と、
前記記憶部に記憶させる処理を制御する制御部と、
を備えることを特徴とする入浴管理システム。
【請求項２】
前記制御部は、前記風呂給湯器が前記浴槽への給湯を開始する際、または、前記浴槽の湯量が、所定の時間以内に所定の量以上増加した場合、前記記憶部への記憶を開始させる制御を行う、
請求項１記載の入浴管理システム。
【請求項３】
前記制御部は、前記風呂給湯器が前記浴槽への給湯を所定期間継続して行わなかった場合、前記浴槽の湯温が所定の閾値以下になった場合、前記浴槽の湯温が前記外気温に応じた閾値以下になった場合、または、前記浴槽の湯量が所定の時間以内に所定の量以上減少した場合、前記記憶部への記憶を終了させる制御を行う、
請求項１または２に記載の入浴管理システム。
【請求項４】
前記記憶部に記憶された情報に基づいて、ユーザに応じた入浴方法を判定する判定部と、
前記判定部により判定された入浴方法に関する情報を、前記ユーザに通知させる制御を行う通知制御部と、
を備える請求項１乃至３のいずれか一項に記載の入浴管理システム。
【請求項５】
前記判定部は、前記記憶部に記憶された情報と、前記ユーザの健康に関する情報、または前記ユーザの属性とに基づいて、前記ユーザに応じた、前記浴槽の湯温、前記浴槽の湯量、または入浴時間を判定する、
を備える請求項４に記載の入浴管理システム。
【請求項６】
前記判定部は、前記記憶部に記憶された情報と、前記ユーザの属性とに基づいて、前記ユーザに応じたメッセージを判定する、
請求項４または５に記載の入浴管理システム。
【請求項７】
前記ユーザの属性は、前記ユーザの住所に関する情報、または年齢に関する情報を含む、
請求項６に記載の入浴管理システム。
【請求項８】
前記記憶部は、さらに、入浴中のユーザの識別情報を、前記取得部により取得された情報に対応付けて記憶する、
請求項１乃至７のいずれか一項に記載の入浴管理システム。
【請求項９】
入浴管理システムが、
浴槽に給湯する風呂給湯器から、前記浴槽の湯温、前記浴槽の湯量、及び外気温のうちの少なくとも一つの情報を取得する処理と、
前記取得する処理により取得された情報と、前記取得する処理により当該情報が取得された日時とを対応付けて記憶する処理と、
前記記憶させる処理を制御する処理と、
を実行する入浴管理方法。
【請求項１０】
コンピュータに、
浴槽に給湯する風呂給湯器から、前記浴槽の湯温、前記浴槽の湯量、及び外気温のうちの少なくとも一つの情報を取得する処理と、
前記取得する処理により取得された情報と、前記取得する処理により当該情報が取得された日時とを対応付けて記憶する処理と、
前記記憶させる処理を制御する処理と、
を実行させるプログラム。
【発明の詳細な説明】
【技術分野】
【０００１】
本発明は、入浴管理システム、入浴管理方法、及びプログラムに関する。
【背景技術】
【０００２】
健康を維持することは普遍的な要求であり、健康につながる入浴法の効果や効能についての研究が行われている。各ユーザに応じた、健康につながる入浴法を判定するためには、各ユーザの入浴に関するデータを収集することが有用である。
【０００３】
特許文献１には、入浴者の健康状態に合わせた入浴方法をアドバイスすることが可能な技術が記載されている。
【先行技術文献】
【特許文献】
【０００４】
【特許文献１】特開２０１１−２３９９２４号公報
【発明の概要】
【発明が解決しようとする課題】
【０００５】
しかしながら、従来技術では、ユーザの入浴に関するログを自動で記録することについては考慮されていない。
【０００６】
そこで、ユーザの入浴に関するログを記録することができる技術を提供することを目的とする。
【課題を解決するための手段】
【０００７】
入浴管理システムにおいて、浴槽に給湯する風呂給湯器から、前記浴槽の湯温、前記浴槽の湯量、及び外気温のうちの少なくとも一つの情報を取得する取得部と、前記取得部により取得された情報と、前記取得部により当該情報が取得された日時とを対応付けて記憶する記憶部と、前記記憶部に記憶させる処理を制御する制御部と、を備える。
【発明の効果】
【０００８】
開示の技術によれば、ユーザの入浴に関するログを記録することが可能となる。
【図面の簡単な説明】
【０００９】
【図１】実施形態に係る入浴システムの構成例を示す図である。
【図２】実施形態に係るデータロガーのハードウェア構成例を示す図である。
【図３】実施形態に係るデータロガー、サーバ装置及び情報端末の機能構成の一例を示す図である。
【図４】実施形態に係る入浴システムの処理の一例を示すシーケンス図である。
【図５】実施形態に係るデータロガーのログ情報記憶処理の一例を示すフローチャートである。
【図６】入浴ログ情報の一例を示す図である。
【図７】実施形態に係るサーバ装置及び情報端末のサービス提供処理の一例を示すフローチャートである。
【図８】ユーザ管理情報の一例を示す図である。
【図９】情報端末における表示画面の例を示す図である。
【発明を実施するための形態】
【００１０】
以下、図面に基づいて本発明の実施形態を説明する。図１は、実施形態に係る入浴システム１の構成例を示す図である。図１において、入浴システム１は、例えば、データロガー１０、サーバ装置２０、情報端末３０、風呂給湯器４０、及び風呂給湯器リモコン５０を有する。
【００１１】
データロガー１０、サーバ装置２０、及び風呂給湯器リモコン５０は、例えば、ケーブル等により通信可能に接続される。
【００１２】
情報端末３０と風呂給湯器リモコン５０は、例えば、Ｂｌｕｅｔｏｏｔｈ（登録商標）、無線ＬＡＮ（Ｌｏｃａｌ Ａｒｅａ Ｎｅｔｗｏｒｋ）等の近距離無線通信により通信可能に接続される。
【００１３】
情報端末３０とサーバ装置２０は、例えば、インターネット、携帯電話網等の通信網や、無線ＬＡＮ等により通信可能に接続される。
【００１４】
データロガー１０は、風呂給湯器４０から、ユーザの入浴に関する情報を取得し、入浴に関するログ（以下で、単に「ログ」とも称する。）として記憶する。なお、データロガー１０は、例えば、風呂給湯器４０または風呂給湯器リモコン５０の筐体の内部に設けられてもよいし、風呂給湯器４０または風呂給湯器リモコン５０と一体の構成とされてもよい。
【００１５】
サーバ装置２０は、データロガー１０に記憶された、ユーザの入浴に関するログの情報に基づいて、例えば、入浴に関するリコメンド等の所定のサービスを提供する。
【００１６】
情報端末３０は、例えばスマートフォン、タブレット、ウェアラブルデバイス等、ノートパソコン等の端末である。
【００１７】
情報端末３０は、サーバ装置２０からのリコメンドの情報に従い、リコメンドのメッセージをユーザに表示したり、リコメンドに応じた風呂給湯器４０に対するリモコンコマンドを、風呂給湯器リモコン５０に送信する。
【００１８】
なお、情報端末３０とサーバ装置２０は、一体の装置として構成されてもよい。この場合、例えば、サーバ装置２０の各種機能を、情報端末３０にて実行されるアプリケーションにより実現してもよい。
【００１９】
風呂給湯器リモコン５０は、例えば台所や浴室等に設置される風呂給湯器４０用のリモコンである。風呂給湯器リモコン５０は、情報端末３０からリモコンコマンドを受信すると、風呂給湯器４０にコマンドを転送する。
【００２０】
風呂給湯器４０は、風呂給湯器リモコン５０から受信したコマンドに従って、浴槽に給湯する。また、風呂給湯器４０は、浴槽への湯張りの際に用いられるセンサ等で測定された湯温や湯量等のデータ、及び風呂給湯器４０の周囲の室外の気温（外気温）のデータを、データロガー１０に通知する。
【００２１】
＜ハードウェア構成＞
図２は、実施形態に係るデータロガー１０のハードウェア構成例を示す図である。図２のデータロガー１０は、それぞれバスＢで相互に接続されているドライブ装置１００、補助記憶装置１０２、メモリ装置１０３、ＣＰＵ１０４、インタフェース装置１０５、表示装置１０６、及び入力装置１０７等を有する。
【００２２】
データロガー１０での処理を実現する情報処理プログラムは、記録媒体１０１によって提供される。情報処理プログラムを記録した記録媒体１０１がドライブ装置１００にセットされると、情報処理プログラムが記録媒体１０１からドライブ装置１００を介して補助記憶装置１０２にインストールされる。但し、情報処理プログラムのインストールは必ずしも記録媒体１０１より行う必要はなく、ネットワークを介して他のコンピュータよりダウンロードするようにしてもよい。補助記憶装置１０２は、インストールされた情報処理プログラムを格納すると共に、必要なファイルやデータ等を格納する。
【００２３】
メモリ装置１０３は、プログラムの起動指示があった場合に、補助記憶装置１０２からプログラムを読み出して格納する。ＣＰＵ１０４は、メモリ装置１０３に格納されたプログラムに従ってデータロガー１０に係る機能を実現する。インタフェース装置１０５は、外部に接続するためのインタフェースとして用いられる。表示装置１０６はプログラムによるＧＵＩ（Graphical User Interface）等を表示する。入力装置１０７はタッチパネル及びボタン等、またはキーボード及びマウス等で構成され、様々な操作指示を入力させるために用いられる。なお、例えば、表示装置１０６や入力装置１０７を有しない構成としてもよい。
【００２４】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard Disk Drive）又はフラッシュメモリ等が挙げられる。記録媒体１０１及び補助記憶装置１０２のいずれについても、コンピュータ読み取り可能な記録媒体に相当する。
【００２５】
サーバ装置２０、及び情報端末３０のハードウェア構成例は、図２のデータロガー１０のハードウェア構成例と同様でもよい。
【００２６】
＜機能構成＞
次に、図３を参照し、実施形態に係るデータロガー１０、サーバ装置２０及び情報端末３０の機能構成について説明する。図３は、実施形態に係るデータロガー１０、サーバ装置２０及び情報端末３０の機能構成の一例を示す図である。
【００２７】
≪データロガー１０の機能構成≫
データロガー１０は、記憶部１１を有する。記憶部１１は、例えば、補助記憶装置１０２等を用いて実現される。
【００２８】
記憶部１１は、ユーザの入浴に関するログを、入浴ログ情報１１１に記憶する。なお、入浴ログ情報１１１については後述する。
【００２９】
また、データロガー１０は、取得部１２、制御部１３、及び通信部１４を備える。これら各部は、データロガー１０にインストールされた１以上のプログラムが、データロガー１０のＣＰＵ１０４に実行させる処理により実現される。
【００３０】
取得部１２は、風呂給湯器４０から、浴槽の湯温、浴槽の湯量、及び外気温等の情報を取得する。
【００３１】
制御部１３は、記憶部１１に、ログを記憶させる処理の開始や終了等を制御する。
【００３２】
通信部１４は、例えば、風呂給湯器リモコン５０等を介して、情報端末３０等との通信を行う。
【００３３】
≪サーバ装置２０の機能構成≫
サーバ装置２０は、記憶部２１を有する。記憶部２１は、例えば、補助記憶装置等を用いて実現される。
【００３４】
記憶部２１は、ユーザの入浴に関するログと、ユーザの属性等の情報とを対応付けて、ユーザ管理情報２１１に記憶する。ここで、ユーザの属性には、例えば、年齢、居住地域、入浴に関する嗜好、性別、身長、体重等のデータが含まれてもよい。なお、ユーザ管理情報２１１については後述する。
【００３５】
また、サーバ装置２０は、判定部２２、通知制御部２３、及び通信部２４を備える。これら各部は、サーバ装置２０にインストールされた１以上のプログラムが、サーバ装置２０のＣＰＵに実行させる処理により実現される。
【００３６】
判定部２２は、データロガー１０のログ等に基づいて、ユーザに応じた入浴方法を判定する。
【００３７】
通知制御部２３は、情報端末３０に対して、判定部２２により判定された入浴方法に関する情報をユーザに通知させる制御を行う。
【００３８】
通信部２４は、情報端末３０等との通信を行う。
【００３９】
≪情報端末３０の機能構成≫
情報端末３０は、転送部３１、サービス提供部３２、及び通信部３３を備える。これら各部は、情報端末３０にインストールされた１以上のプログラムが、情報端末３０のＣＰＵに実行させる処理により実現される。
【００４０】
転送部３１は、データロガー１０から取得したログや、ユーザから入力されたアンケートの回答等のデータを、サーバ装置２０に送信する。
【００４１】
サービス提供部３２は、サーバ装置２０からの指示に応じて、入浴に関するリコメンドのメッセージの表示や、風呂給湯器リモコン５０の制御等を行う。
【００４２】
通信部３３は、風呂給湯器リモコン５０、サーバ装置２０等との通信を行う。
【００４３】
通信部２４は、情報端末３０等との通信を行う。
【００４４】
＜処理＞
次に、図４を参照し、実施形態に係る入浴システム１の処理について説明する。図４は、実施形態に係る入浴システム１の処理の一例を示すシーケンス図である。
【００４５】
ステップＳ１において、データロガー１０の取得部１２は、風呂給湯器４０から、ユーザの入浴に関する情報を取得する。
【００４６】
続いて、データロガー１０の制御部１３は、取得した情報を、入浴に関するログとして記憶部１１に記憶させる（ステップＳ２）。
【００４７】
続いて、情報端末３０の転送部３１は、データロガー１０から、入浴に関するログを取得する（ステップＳ３）。ここで、情報端末３０は、データロガー１０から、例えば、風呂給湯器４０、及び風呂給湯器リモコン５０を介して、入浴に関するログを取得してもよい。また、データロガー１０が無線通信機能を備える場合等は、データロガー１０から直接ログの情報を取得してもよい。
【００４８】
続いて、情報端末３０の転送部３１は、情報端末３０のユーザのＩＤ（ユーザＩＤ）と、取得したログ等の情報を、サーバ装置２０に送信する（ステップＳ４）。
【００４９】
続いて、サーバ装置２０の記憶部２１は、ユーザＩＤに対応付けて、受信したログ等を記憶する（ステップＳ５）。
【００５０】
続いて、サーバ装置２０の判定部２２は、各ユーザのログ等に基づいたサービスの情報を判定する（ステップＳ６）。
【００５１】
続いて、サーバ装置２０の通知制御部２３は、当該サービスの情報を、情報端末３０に送信する（ステップＳ７）。
【００５２】
続いて、情報端末３０のサービス提供部３２は、受信したサービスの情報に応じたサービスをユーザに提供する（ステップＳ８）。
【００５３】
≪ログ情報記憶処理≫
次に、図５を参照し、図４のステップＳ１、ステップＳ２の、データロガー１０がログの情報を取得して記憶する処理について説明する。図５は、実施形態に係るデータロガー１０のログ情報記憶処理の一例を示すフローチャートである。
【００５４】
ステップＳ１０１において、データロガー１０の制御部１３は、ログの記録を開始する条件を満たしたことを検出する。ここで、データロガー１０の制御部１３は、例えば、風呂給湯器リモコン５０または情報端末３０での「湯張り操作」（「給湯操作」）等により、風呂給湯器４０が浴槽への湯張りを開始する際に、ログの記録を開始してもよい。なお、「湯張り操作」とは、風呂給湯器４０により浴槽内のお湯を入浴可能な状態にするための操作である。「湯張り操作」には、例えば、予め設定された温度、及び湯量にて湯張りを行った後に自動で追い炊き等により保温まで行う「自動湯張り」機能の開始操作、浴槽内の湯を予め設定された温度まで追い炊きする「追い炊き」機能の開始操作、所定の湯量を浴槽に加える「足し湯」機能の開始操作等が含まれる。
【００５５】
また、データロガー１０の制御部１３は、例えば、浴槽の湯量が、所定の時間以内に、所定の量以上増加した場合、ユーザが入浴したと判断できるため、ログの記録を開始してもよい。
【００５６】
続いて、データロガー１０の取得部１２は、風呂給湯器４０から、浴槽の湯温、湯量、及び外気温等のデータを取得する（ステップＳ１０２）。なお、風呂給湯器４０は、例えば、風呂給湯器リモコン５０にて「ふろ自動」ボタンを押下された場合に、設定された湯温、及び設定された湯量になるように自動で湯張りを行う自動湯張り機能を有する。風呂給湯器４０は、自動湯張り機能を実現するため、浴槽の湯温、及び浴槽の湯量を測定するセンサを有している。
【００５７】
なお、浴槽の湯量は、例えば、浴槽の水圧をセンサにて測定し、水圧を水位に換算することにより算出されてもよい。この場合、浴槽の湯量は、浴槽における水位（ｃｍ）を示す情報でもよい。また、予め設定されている浴槽の容量の情報を用いて、水位のデータを体積（Ｌ、リットル）に換算し、当該体積を湯量としてもよい。
【００５８】
続いて、データロガー１０の制御部１３は、取得した日時に対応付けて、取得したデータを記憶部１１の入浴ログ情報１１１に記憶させる（ステップＳ１０３）。
【００５９】
図６は、入浴ログ情報１１１の一例を示す図である。入浴ログ情報１１１には、日時に対応付けて、浴槽の湯温、湯量、及び外気温等のデータが記録される。なお、入浴ログ情報１１１には、日時に対応付けて、風呂給湯器４０から取得された、シャワーに給湯した湯温や湯量のデータも記録されてもよい。これにより、ユーザが浴槽浴をしているのか、シャワー浴のみであるかを判定できる。
【００６０】
続いて、データロガー１０の制御部１３は、ログの記録を終了する条件を満たしたか否かを判定する（ステップＳ１０４）。
【００６１】
ログの記録を終了する条件を満たしていない場合（ステップＳ１０４でＮＯ）、制御部１３は、例えば一定時間待機した後、ステップＳ１０２の処理に進む。
【００６２】
ログの記録を終了する条件を満たした場合（ステップＳ１０４でＹＥＳ）、処理を終了する。ここで、データロガー１０の制御部１３は、例えば、「自動湯張り」機能が解除され、風呂給湯器４０が浴槽への給湯を所定期間（例えば１時間）継続して行わなかった場合、ユーザが入浴していないために、再度の「湯張り操作」が行われていないと判断できるため、ログの記録を終了してもよい。
【００６３】
また、データロガー１０の制御部１３は、例えば、浴槽の湯温が、徐々に低下し、所定の閾値（例えば３５℃）以下になった場合、ログの記録を終了してもよい。これにより、ログのデータ量を低減することができる。また、データロガー１０の制御部１３は、例えば、浴槽の湯温が、外気温に応じた所定の閾値（例えば外気温が３０℃の場合は３７℃）以下になると、ログの記録を終了する。これにより、例えば熱帯夜で浴槽の湯温が自然には低下しにくい場合でも、入浴されていない間は、ログの記録を終了することができる。
【００６４】
または、データロガー１０の制御部１３は、例えば、浴槽の湯量が、所定の時間以内に、所定の量以上減少した場合、ユーザが浴槽から出たと判断できるため、ログの記録を終了してもよい。
【００６５】
≪サービス提供処理≫
次に、図７を参照し、図４のステップＳ６、ステップＳ７の、サーバ装置２０が、ログ等に基づいたサービスを情報端末３０に提供させる処理について説明する。図７は、実施形態に係るサーバ装置２０のサービス提供処理の一例を示すフローチャートである。
【００６６】
ステップＳ２０１において、サーバ装置２０の判定部２２は、ユーザ管理情報２１１に記憶されている、データロガー１０から取得したログ、及び情報端末３０から取得したユーザ情報に基づいて、ユーザにリコメンドする浴槽の湯温、浴槽の湯量、及び入浴時間（入浴開始時刻及び入浴終了時刻）を判定する。
【００６７】
図８は、ユーザ管理情報２１１の一例を示す図である。ユーザ管理情報２１１には、ユーザＩＤに対応付けて、契約情報、入浴に関するログ、及びユーザ情報の項目が記憶される。
【００６８】
ユーザＩＤは、情報端末３０から取得した、ユーザの識別情報である。契約情報は、例えば、ユーザとガス等の契約を締結した際に取得した、ユーザの住所や生年月日（「年齢に関する情報」の一例）等を含む情報である。入浴に関するログは、データロガー１０から取得したログであり、図６に示す入浴ログ情報１１１と同様の情報である。
【００６９】
ユーザ情報は、情報端末３０から取得した、ユーザの健康に関する情報であり、例えば、ユーザの心拍、睡眠計のデータ、アンケートの回答等が含まれる。なお、ユーザの心拍や睡眠計のデータは、例えば、情報端末３０にインストールされた所定のアプリケーションにて取得されたデータを、アプリケーション連携機能を用いて取得し、情報端末３０からサーバ装置２０に通知されてもよい。なお、ユーザの心拍や睡眠計のデータは、公知の技術を用いて取得されてもよい。また、アンケートの回答のデータは、情報端末３０にてアンケートを表示させ、ユーザから情報端末３０に入力されたものが、情報端末３０からサーバ装置２０に通知されてもよい。なお、ユーザがガス等の契約者ではない場合、ユーザ情報に、ユーザの生年月日等を含めてもよい。
【００７０】
サーバ装置２０の判定部２２は、ステップＳ２０１において、例えば、ログと、ユーザの心拍、睡眠計、アンケートの回答、及び季節等のデータとの相関に基づき、快眠できる湯温、湯量、及び入浴時間を機械学習する。そして、サーバ装置２０の判定部２２は、機械学習した結果に基づいて、ユーザにリコメンドする湯温、湯量、及び入浴時間を判定する。
【００７１】
ここで、サーバ装置２０の判定部２２は、ユーザの心拍や睡眠計のデータを用いて、ユーザのストレスの状況を推測してもよい。そして、ストレスを低減するための湯温、湯量、及び入浴時間を判定してもよい。なお、ストレスを低減するための湯温、湯量、及び入浴時間は、予め設定されていてもよいし、機械学習により算出されてもよい。
【００７２】
続いて、サーバ装置２０の判定部２２は、データロガー１０から取得したログ、及びユーザの属性に基づいて、ユーザにリコメンドする浴槽の湯温、浴槽の湯量、及び入浴時間を判定する（ステップＳ２０２）。ここで、サーバ装置２０の判定部２２は、例えば、ユーザの属性が「高齢者」（例えば６０歳以上）である場合、比較的低い湯温をユーザにリコメンドする。また、サーバ装置２０の判定部２２は、例えば、ユーザの属性が「高齢者」（例えば６０歳以上）である場合、一日の体温の変化の位相が比較的早い（例えば３０分程度早い）ため、比較的早い入浴時間を、ユーザにリコメンドする。また、サーバ装置２０の判定部２２は、例えば、ユーザの属性が、多忙により短時間での入浴を希望する場合や、疲労感が高い等の場合、全身浴の方が適していると考えられるため、比較的多い湯量をユーザにリコメンドする。
【００７３】
なお、サーバ装置２０の判定部２２は、ステップＳ２０１で判定した結果を、ステップＳ２０２の判定結果に基づいて修正してもよい。
【００７４】
続いて、サーバ装置２０の判定部２２は、データロガー１０から取得したログに基づいて、ユーザに表示するメッセージを判定する（ステップＳ２０３）。ここで、サーバ装置２０の判定部２２は、例えば、ログに含まれる外気温が、前日のものと比較して所定の閾値以上低下した場合、浴室と脱衣室との間の温度差が比較的大きいことをユーザが予期していないと推定できる。そのため、サーバ装置２０の通知制御部２３は、「ヒートショック防止のため、手足にお湯をかけてから入浴して下さい。」等のメッセージを情報端末３０に表示させる。
【００７５】
続いて、サーバ装置２０の判定部２２は、データロガー１０から取得したログ、ユーザの属性、及び気象庁のサーバ等から取得した天気予報に基づいて、ユーザに表示するメッセージを判定する（ステップＳ２０４）。ここで、サーバ装置２０の通知制御部２３は、例えば、ユーザの属性と天気予報とに基づいて、ユーザの居住する地域の予想気温が所定の閾値以下となった場合または当該地域で降雪が予想される場合、かつ、ログからユーザが浴槽浴をしていないと判定できる場合、「そろそろシャワー浴から浴槽浴に切り替えませんか？」等のメッセージを情報端末３０に表示させる。
【００７６】
なお、サーバ装置２０の判定部２２は、ガス契約時等に取得したユーザの住所の情報、または情報端末３０にて表示させたユーザの住所に関するアンケートの回答結果から、ユーザの属性として、居住する地域を判定できる。また、天気予報の情報には、各地域における降雪や気温予報の情報が含まれている。
【００７７】
続いて、サーバ装置２０の判定部２２は、データロガー１０から取得した、対象とするユーザのログ、及び当該対象とするユーザの周辺地域の他のユーザのログに基づいて、当該対象とするユーザに表示するメッセージを判定する（ステップＳ２０５）。ここで、サーバ装置２０の判定部２２は、例えば、当該ユーザが居住する地域の他のユーザのログから、所定期間以内にシャワー浴から浴槽浴に切り替えたユーザの割合を算出する。そして、サーバ装置２０の通知制御部２３は、算出した割合が所定の閾値以上の場合、「そろそろシャワー浴から浴槽浴に切り替えませんか？ご近所では浴槽浴に切り替えているご家庭が多いようです。」等のメッセージを情報端末３０に表示させる。
【００７８】
続いて、サーバ装置２０の判定部２２は、データロガー１０から取得したログに基づいて浴室の環境を推定し、推定した浴室の環境に応じて、ユーザに表示するメッセージを判定する（ステップＳ２０６）。ここで、サーバ装置２０の判定部２２は、例えば、湯張りの際に、風呂給湯器４０から浴槽に供給したお湯の湯温（例えば湯張り時に設定されている湯温）と、浴槽から風呂給湯器４０に循環して戻ってきたお湯の湯温との差が所定の閾値以上であるか否かを判定する。そして、当該差が所定の閾値以上である場合は、浴槽に蓋をしていない、または浴槽の断熱性能が低いと推定できる。そのため、サーバ装置２０の通知制御部２３は、当該差が所定の閾値以上である場合は、「入浴前にシャワーから給湯して浴室を暖めて下さい。」等のメッセージを情報端末３０に表示させる。または、サーバ装置２０の判定部２２は、この場合、比較的高い湯温をユーザにリコメンドしてもよい。
【００７９】
続いて、サーバ装置２０の判定部２２は、データロガー１０から取得したログに基づいて、ユーザの安否確認を行う（ステップＳ２０７）。ここで、サーバ装置２０の判定部２２は、例えば、ユーザが通常とは異なる時間帯に入浴した場合や、ユーザが所定期間連続して入浴していない場合、異常であると判定し、通信部２４により、外部のセンターや、予め登録された親族のメールアドレス宛て等に、警報を送信する。また、情報端末３０にて表示させたユーザの体調に関するアンケートの回答結果から、ユーザの体調のデータもユーザ管理情報２１１に記録する。そして、ユーザの入浴時間帯が、体調が「悪い」と入力される頻度が所定値以上である入浴時間帯の場合、異常であると判定し、予め登録された親族のメールアドレス宛て等に、警報を送信してもよい。
【００８０】
＜表示画面例＞
次に、図９を参照し、図４のステップＳ８の、情報端末３０のサービス提供部３２が、ログ等に基づいたサービスを提供する処理について説明する。図９は、情報端末３０における表示画面の例を示す図である。
【００８１】
図９の例では、情報端末３０のサービス提供部３２は、画面３０Ａにおける表示領域３０１に、サーバ装置２０により判定された、ユーザにリコメンドする浴槽の湯温、浴槽の湯量、及び入浴時間等を表示している。また、画面３０Ａにおける表示領域３０２に、サーバ装置２０により判定されたメッセージを表示している。
【００８２】
この表示の画面３０Ａにおいて、「ＯＫ」ボタン３０３が押下されると、情報端末３０のサービス提供部３２は、表示されている入浴時間における入浴開始時刻よりも所定時間（例えば１０分）早い時刻になった際、表示されている浴槽の湯温、及び湯量での湯張りを風呂給湯器４０に実行させるためのリモコンコマンドを、風呂給湯器リモコン５０に送信する。これにより、当該入浴開始時刻において、サーバ装置２０からリコメンドされた湯温、及び湯量で、ユーザが入浴できるようになる。
【００８３】
＜変形例＞
複数のユーザが同一の入浴システム１を使用する場合、データロガー１０は、各ユーザの入浴に関するログを記憶するようにしてもよい。この場合、図６に示す入浴ログ情報１１１には、日時や取得部１２により取得された浴槽の湯温等に対応付けて、ユーザＩＤを記録してもよい。または、ユーザＩＤ毎に、入浴ログ情報１１１を記録してもよい。
【００８４】
この場合、例えば、データロガー１０は、予めユーザの操作に応じて登録されている各ユーザＩＤ毎の体重等と、浴槽の湯量（水位）の変化に基づいて、入浴中のユーザＩＤを判定してもよい。この場合、データロガー１０は、所定時間（例えば５秒）以内に増加した浴槽の水位に基づいて、増加した湯の体積を推定する。そして、データロガー１０は、登録されている各ユーザの身長や体重等に基づいて、各ユーザの体積を推定する。そして、データロガー１０は、各ユーザのうち、推定した体積が、増加した湯の体積と最も近いユーザのユーザＩＤを、図６に示す入浴ログ情報１１１に記録してもよい。また、同様に、データロガー１０は、所定時間（例えば５秒）以内に、浴槽の湯の体積が、当該ユーザＩＤに係るユーザに対して推定された体積と略同じ量だけ減少した場合、以降は入浴ログ情報１１１に当該ユーザＩＤを記録しないようにしてもよい。これにより、自動で入浴中のユーザのユーザＩＤを取得できる。
【００８５】
または、データロガー１０は、ユーザからの風呂給湯器リモコン５０や情報端末３０等における操作により、入浴中のユーザのユーザＩＤを取得してもよい。これにより、同時に複数のユーザが入浴する場合等においても、入浴中のユーザのユーザＩＤを取得できる。
【００８６】
また、上述したステップＳ３において、データロガー１０は、情報端末３０のユーザＩＤに対応付けられたログのみを、当該情報端末３０の転送部３１に取得可能としてもよい。これにより、他のユーザの入浴に関するプライバシーを保護することができる。
【００８７】
＜まとめ＞
上述した実施形態によれば、入浴システム１におけるデータロガー１０は、風呂給湯器４０から取得した情報に基づき、ユーザの入浴に関するログを記憶する。また、入浴システム１におけるサーバ装置２０は、当該ログ等に応じた、入浴に関するサービスを、当該ユーザに提供する。これにより、例えば、各ユーザのスマートフォン等である情報端末３０を、各ユーザのリモコンとして、各ユーザに適した入浴方法をリコメンドすることができる。
【００８８】
また、上述した実施形態によれば、風呂給湯器４０から取得した情報を用いてログを記憶するため、例えばウェアラブセンサ等を用いる場合と比較して、容易にログを記憶することができる。
【００８９】
以上、本発明の実施例について詳述したが、本発明は斯かる特定の実施形態に限定されるものではなく、特許請求の範囲に記載された本発明の要旨の範囲内において、種々の変形・変更が可能である。
【００９０】
例えば、データロガー１０、サーバ装置２０、及び情報端末３０等の各機能部の処理における少なくとも一部は、複数のコンピュータにより構成されるクラウドコンピューティングにより実行される構成としてもよい。
【００９１】
また、データロガー１０、サーバ装置２０、及び情報端末３０のうちの１以上の装置で構成されるシステムを、「入浴管理システム」と称することもできる。
【００９２】
上述した実施形態におけるデータロガー１０、及びサーバ装置２０等の一部、または全部を、ＬＳＩ（Ｌａｒｇｅ  Ｓｃａｌｅ  Ｉｎｔｅｇｒａｔｉｏｎ）等の集積回路として実現してもよい。データロガー１０、及びサーバ装置２０等の各機能ブロックは個別にプロセッサ化してもよいし、一部、または全部を集積してプロセッサ化してもよい。
【符号の説明】
【００９３】
１  入浴システム
１０  データロガー
１１  記憶部
１１１  入浴ログ情報
１２  取得部
１３  制御部
１４  通信部
２０  サーバ装置
２１  記憶部
２１１  ユーザ管理情報
２２  判定部
２３  通知制御部
２４  通信部
３０  情報端末
３１  転送部
３２  サービス提供部
３３  通信部
４０  風呂給湯器
５０  風呂給湯器リモコン
【図１】
2018153236.tif 000003
【図２】
2018153236.tif 000004
【図３】
2018153236.tif 000005
【図４】
2018153236.tif 000006
【図５】
2018153236.tif 000007
【図６】
2018153236.tif 000008
【図７】
2018153236.tif 000009
【図８】
2018153236.tif 000010
【図９】
2018153236.tif 000011